(57)【要約】【課題】  ローパーティションを構成するパネルの上端に取着される笠木を取付ける為の笠木受け具の提供。【解決手段】  笠木受け具１は基台２の中央に中央凸部７を上方へ突出し、中央凸部７の両側には上端に係合凸部８ａ，８ｂを形成したアーム３ａ，３ｂを起立し、基台２は所定の間隔をおいて連結片６ａ，６ｂによって繋がれた上基板４と下基板５から成り、そして概略長方形の上基板４及び下基板５の対角線上のコーナー部は滑らかな円弧で形成され、しかも上記外周１１ａ，１１ｂに沿って内側に切欠き溝１０ａ、１０ｂを設けている。【選択図】    図１
2008082136.tif 000002
【特許請求の範囲】
【請求項１】
ローパーティションを構成するパネルの上端に取着される笠木を取付ける為の笠木受け具において、笠木受け具は基台の中央に中央凸部を上方へ突出し、中央凸部の両側には上端に係合部を形成したアームを起立し、基台は所定の間隔をおいて連結片によって繋がれた上基板と下基板から成り、そして概略長方形の上基板及び下基板の対角線上のコーナー部は滑らかな円弧で形成され、しかも上記外周に沿って内側に切欠き溝を設けたことを特徴とする笠木の受け具。
【請求項２】
上記上基板のアームより外側に、小さな凸部を上面から突出した請求項１記載の笠木の受け具。
【請求項３】
上記下基板の下面に複数の小さな凸部を形成した請求項１、又は請求項２記載の笠木の受け具。
【請求項４】
ローパーティションを構成するパネルの上端に笠木を取付ける構造において、パネル上端に開口を形成すると共に該開口に笠木受け具を嵌めて取付け、笠木受け具は基台の中央に中央凸部を上方へ突出し、中央凸部の両側には上端に係合部を形成したアームを起立し、基台は所定の間隔をおいて連結片によって繋がれた上基板と下基板から成り、そして概略長方形の上基板及び下基板の対角線上のコーナー部は滑らかな円弧で形成され、しかも上記外周に沿って内側に切欠き溝を設け、そして、パネル表面材の上端にてＬ形に屈曲し下方へ延ばした先端に上基板を当接すると共に基台の上基板及び下基板の両端を開口内側面に当接又は近接して位置決めし、上記両アーム先端の係合部に笠木の脚を係合して取付けたことを特徴とする笠木の取付け構造。
【請求項５】
ローパーティションを構成するガラスパネルの上端に笠木を取付ける構造において、ガラスパネル上桟に幅広の第１開口と幅の狭い第２開口を連続して形成すると共に該開口に笠木受け具を嵌めて取付け、笠木受け具は基台の中央に中央凸部を上方へ突出し、中央凸部の両側には上端に係合部を形成したアームを起立し、基台は所定の間隔をおいて連結片によって繋がれた上基板と下基板から成り、そして概略長方形の上基板及び下基板の対角線上のコーナー部は滑らかな円弧で形成され、しかも上記外周に沿って内側に切欠き溝を設け、そして、上基板は第１開口に嵌めて上桟の上片下側に取着したライナーに当接し、又、上記切欠き溝にて両側端部を削除した下基板を第１開口に嵌め、上基板及び下基板の両端を第１開口及び第２開口の内側面に当接又は近接して位置決めし、上記両アーム先端の係合部に笠木の脚を係合して取付けたことを特徴とする笠木の取付け構造。
【請求項６】
ローパーティションを構成するドア枠の上端に笠木を取付ける構造において、ドア枠の上桟に幅広の第１開口と幅の狭い第２開口を連続して形成すると共に該開口に笠木受け具を嵌めて取付け、笠木受け具は基台の中央に中央凸部を上方へ突出し、中央凸部の両側には上端に係合部を形成したアームを起立し、基台は所定の間隔をおいて連結片によって繋がれた上基板と下基板から成り、そして概略長方形の上基板及び下基板の対角線上のコーナー部は滑らかな円弧で形成され、しかも上記外周に沿って内側に切欠き溝を設け、そして、上基板は第１開口に嵌めて上桟の上片下側に取着したライナーに当接し、又、上記切欠き溝にて両側端部を削除した下基板を第１開口に嵌め、上基板及び下基板の両端を第１開口及び第２開口の内側面に当接又は近接して位置決めし、上記両アーム先端の係合部に笠木の脚を係合して取付けたことを特徴とする笠木の取付け構造。
【発明の詳細な説明】
【技術分野】
【０００１】
本発明はローパーティションなどの間仕切り装置のパネル上端にワンタッチで取付けることが出来る笠木の受け具及び笠木の取付け構造に関するものである。
【背景技術】
【０００２】
ローパーティションを構成するパネルにはその上端に笠木を取付けている。この笠木を取付ける手段は色々知られているが、図６は従来の一般的な笠木取付け構造を示している。すなわち、パネル（イ）の上端の開口（ハ）には笠木受け具（ニ）がネジ止めされ、この笠木受け具（ニ）に笠木（ロ）を取着している。笠木受け具（ニ）は基台（ホ）から上方へ２本のアーム（ヘ）、（ヘ）を起立し、このアーム（ヘ）、（ヘ）を挟み込むように笠木（ロ）から下方へ延びる脚（ト）、（ト）が係合している。
【０００３】
アーム（ヘ）、（ヘ）の上端部には係合凸部（チ）、（チ）が形成され、この係合凸部（チ）、（チ）に脚下端に設けたボス（リ）、（リ）が係合していて、しかもアーム（ヘ）、（ヘ）を内側へ撓ます弾性力が付勢されることで、笠木（ロ）はガタ付くことなく安定した取付けが行われる。この笠木取付け構造の場合、笠木受け具（ニ）をネジ止めしなくてはならず、据付作業に際しての多くの作業工数がかかる。
【０００４】
そして、笠木受け具（ニ）のネジ止め位置がズレるならば、笠木（ロ）の位置ズレが発生する。又、笠木受け具（ニ）が連続した長尺材ではなく、小さなピースを等間隔で複数個ネジ止めする場合には、各笠木受け具（ニ）、（ニ）・・が位置ズレすれば、笠木（ロ）の取付けが不可能となる。
【０００５】
実開平５−６４３０９号に係る「間仕切パネルの笠木取付装置」は、隣接する間仕切パネルを連結するために縦枠上端に装着する連結具を利用して笠木を取付けることが出来る笠木取付装置である。
そこで、 縦枠と横枠とパネル板で構成された間仕切パネルを互いに連結するための連結具を使用し、下方に隣接する縦枠の上端間を近接方向へ締付けるテーパー溝を有し、上部にはテーパー溝と直交し横枠上面に渡設する連結バーを収容し得る上方溝を設けるとともに、両縦枠の側端に形成した開口に係止板の両側を係止し、前記連結バーと連結具の中央部を貫挿させたボルトを係止板に螺合することで締付けてなる前記連結具の上方幅方向両側に突片を立設し、この突片に笠木の下面幅方向両側に下設した弾片を圧着して該笠木を取付けている。
【０００６】
すなわち、笠木は連結具に取付けることは出来る構造としているが、この連結具は前記図６に示す従来の取付け構造と同じくネジ止めされている。
【特許文献１】特開２００５−２４０３３９号に係る「ローパーティション」
【発明の開示】
【発明が解決しようとする課題】
【０００７】
このように、ローパーティションのパネル上端に取付ける笠木の取付け構造には上記のごとき問題がある。本発明が解決しようとする課題はこの問題点であり、表面材を貼着した一般的なパネルのみならず、ガラスパネル、又はドア枠であっても、その上端にワンタッチで取付けることが出来る笠木受け具を提供する。又、該笠木受け具を使用した笠木の取付け構造を提供する。
【課題を解決するための手段】
【０００８】
本発明に係る笠木受け具は、基台からは２本のアームを中心から等距離に起立し、アームの上端には係合凸部を形成している。そして基台は所定の間隔を隔てた上基板と下基板から成り、上基板と下基板は連結片によって繋がれている。上基板及び下基板は概略長方形を成しているが、対角線上に位置するコーナー部は滑らかな円弧を形成し、パネル上端に形成した開口に嵌って回転可能な形状と成っている。
【０００９】
上基板の上面にはアームの外側に小さな凸部を突出し、下基板の下面にも小さな凸部を複数個設けている。又、下基板はその先端部が削除可能なように切欠き溝を形成している。すなわち、表面材を貼着したパネル上端開口と、ガラスパネルの上桟に形成した開口及びドア枠の上桟に形成した開口とではその形状が異なることから、下基板の外側一部を切欠き出来るようにしている。すなわち、同一の笠木受け具を上記３タイプのパネルに取付け可能な形状と成っている。
【００１０】
ところで、笠木受け具はパネル上端開口に嵌って右方向(時計方向)に９０°回転することで取付けられる。すなわち、開口入口幅が狭く成っていることで、概略長方形の基台が９０°回転するならば該開口から外れることはない。そして、上基板及び下基板の長さは開口の幅寸法と成っていることで、笠木受け具の位置決めがされ、上基板から上方へ起立するアームの先端には笠木の脚が係合して取付けられる。
【発明の効果】
【００１１】
本発明に係る笠木受け具の基台は対角線上のコーナー部が滑らかな円弧を形成していることで、パネル上端開口に嵌めると共に９０°回転することで外れないように取付けられる。そして、回転した基台の両端は開口内面に接し又は近接することで位置決めされ、この笠木受け具のアームに笠木の脚が係合して取付けられる。笠木受け具の基台は所定の間隔を隔てた上基板と下基板を有し、下基板には切欠き溝が形成されていて、該切欠き溝を介して外側端部を切欠くことが出来る。従って、上端開口の一部断面形状が異なるガラスパネルやドア枠の場合にも下基板の側端部を削除して笠木受け具を取付け出来る形態としている。
【実施例】
【００１２】
図１は本発明に係る笠木受け具１を表している実施例であり、(ａ)は平面図、(ｂ)は正面図、(ｃ)は底面図を夫々示している。同図の２は基台、３ａ，３ｂはアーム、４は上基板、５は下基板、６ａ，６ｂは連結片、７は中央凸部を表している。両アーム３ａ，３ｂは中央凸部７より外側に位置し、上基板４から上方へ延びていて、アーム上端には係合凸部８ａ，８ｂを形成している。
【００１３】
上基板４と下基板５は所定の間隔を隔てて平行を成し、連結片６ａ，６ｂにて互いに繋がっている。又、上基板４の上面には小さな半球体をした凸部９ａ，９ｂを設け、下基板５の下面にも複数の小さな凸部１０，１０・・を設けている。そして、上基板４及び下基板５は概略長方形であるが、両端のコーナー部は滑らかな円弧と成っている。円弧と成っているコーナー部は下基板中心に対して対角線上に位置していて、パネル上端の開口に嵌めて右方向に回転することが出来る。
【００１４】
又、図１の(ｃ)に示している斜線部分は切欠くことが出来る。その為に、外周１１ａ，１１ｂに沿って切欠き溝２９ａ，２９ｂを形成しており、該切欠き溝２９ａ，２９ｂを介して斜線部分を削除することが出来る。この笠木受け具１は樹脂製の成形部品であり、パネル上端開口に嵌って取付けられ、笠木は上記アーム３ａ，３ｂに係合して取付けられる。
【００１５】
図２は笠木受け具１取付け方法を表しているが、パネル１２の上端に設けている開口１３に基台２を嵌め、この状態で右方向(時計方向)に９０°回転する。(ａ)、は基台２が開口１３に嵌った状態であり、(ｂ)は基台２を９０°回転した状態を表している。笠木受け具１の中央凸部７はパネル上端から上方へ突出している為に、この中央凸部７を握って右方向に回転することが出来る。９０°回転した基台２の両端部はパネル上端に係止して外れないように取付けられる。
【００１６】
図３はパネル上端の開口１３に嵌って取付けた笠木受け具１に笠木１４を取付けた場合を表している。このパネル１２はペーパーコア１５を芯材としてその両面に金属製の表面材１６，１６を貼着し、該ペーパーコア１５の上端に配置した概略コ形断面の補強材１８まで延び、該補強材１８の上端にてＬ形に屈曲して下方へ延びている。さらに該表面材１６，１６の上にはクロス１７，１７が貼り合わされている。
【００１７】
補強材１８の底面と表面材１６，１６をＬ形に屈曲して下方へ延びた先端１９，１９との間に基台２が挟まれ、先端１９，１９は上基板４に当接している。従って、笠木受け具１が上昇することはなく、又基台２の両端は開口１３の内面(補強材１８の側板)に近接又は接していることで横ズレすることもない。そして、上基板４の上面に形成した凸部９ａ，９ｂはＬ形に屈曲して下方へ延びた先端１９，１９に係止している。
【００１８】
そこで、前記図２(ａ)に示すように、基台２を開口１３に嵌めると共に、右方向(時計方向)に９０°回転することで、笠木受け具１は正しく位置決めされて取付けられる。この場合、下基板５の下面には複数の凸部１０，１０・・を形成していることで、開口１３の底面との間に大きな摩擦を生じることなく容易に回転できる。基台２の両端コーナー部は対角線上に円弧を形成している為に、右方向に９０°回転するが左方向への回転は出来ない。しかも、９０°回転したところで端面が開口内側面に当って停止する。
【００１９】
このように、開口１３に嵌って取付けられた笠木受け具１の両アーム３ａ，３ｂの先端に形成した係合凸部８ａ，８ｂには、笠木１４の脚２０，２０が係合して取付けられる。この図３に示すパネル開口１３には下基板５の両端部を切欠くことなく取付けている。すなわち、上基板４及び下基板５が共に嵌る幅寸法の開口１３を有している。
【００２０】
図４はガラスパネル２１の上端開口２２に笠木受け具１を取付けた場合である。ガラスパネル２１は枠体にガラス２４を嵌めて構成したパネルであり、枠体の上桟２３には開口２２を形成し、この開口２２に笠木受け具１を嵌めて取付けている。該開口２２は幅寸法を違わせ、幅寸法の大きな第１開口２２ａと幅寸法の小さい第２開口２２ｂから成っている。
【００２１】
上基板４は第１開口２２ａに嵌り、下基板５は第２開口２２ｂに嵌っている。従って、下基板５の両側端部は切欠かれて図１の斜線部が削除されている。しかし、取付ける方法は図２に示すように、第１開口２２ａに上基板４を，第２開口２２ｂに下基板５を嵌めて右方向に関するするならば、９０°回転したところで両端は開口内側面に接して停止し、位置決めされる。ここで、上桟２３の上片２５，２５の下側にはゴム系のライナー２６，２６が固定され、上基板４に形成している凸部９ａ，９ｂはライナー２６，２６と当接し、笠木受け具１の浮上を防止している。
【００２２】
ところで、開口２２に嵌って取付けた笠木取付け具１に笠木１４が取付けられるが、この取付け構造は前記図３の場合と同じである。すなわち、笠木受け具１の両アーム３ａ，３ｂの先端に形成した係合凸部８ａ，８ｂには、笠木１４の脚２０，２０が係合して取付けられる。
【００２３】
図５はドア枠２７の上端に笠木１４を取付けた場合を示している。ローパーティションによって仕切られた間仕切りの一部に入口を設け、この入口にドアを取付けることが出来る。ドアを取付けるために、パネル１２の代わりにドア枠２７を据付け、このドア枠２７にドア(図示なし)が開閉自在に取付けられる。そして、このドア枠２７の上桟２８は前記図４に示すガラスパネル２１の上桟２３と同じように、第１開口２２ａと第２開口２２ｂを有している。
【００２４】
従って、上基板４は第１開口２２ａに嵌り、下基板５は第２開口２２ｂに嵌って位置決めされている。取付ける方法は図２に示すように、第１開口２２ａに上基板４を，第２開口２２ｂに下基板５を嵌めて右方向に回転するするならば、９０°回転したところで両側端は開口内側面に接して停止し、位置決めされる。上桟２８の上片２５，２５の下側にはゴム系のライナー２６，２６が固定され、上基板４に形成している凸部９ａ，９ｂはライナー２６，２６と当接し、笠木受け具１の浮上を防止している。そして、笠木受け具１の両アーム３ａ，３ｂの先端に形成した係合凸部８ａ，８ｂには、笠木１４の脚２０，２０が係合して取付けられる。
【図面の簡単な説明】
【００２５】
【図１】本発明に係る笠木受け具。
【図２】笠木受け具をパネル開口に取付け方法。
【図３】パネル上端に笠木を取付けた構造。
【図４】ガラスパネル上端に笠木を取付けた構造。
【図５】ドア枠上端に笠木を取付けた構造。
【図６】従来の笠木取付け構造。
【符号の説明】
【００２６】
１  笠木受け具
２  基台
３  アーム
４  上基板
５  下基板
６  連結片
７  中央凸部
８  係合凸部
９  凸部
10  凸部
11  外周
12  パネル
13  開口
14  笠木
15  ペーパーコア
16  表面材
17  クロス
18  補強材
19  先端
20  脚
21  ガラスパネル
22  開口
23  上桟
24  ガラス
25  上片
26  ライナー
27  ドア枠
28  上桟
29  切欠き溝
【図１】
2008082136.tif 000003
【図２】
2008082136.tif 000004
【図３】
2008082136.tif 000005
【図４】
2008082136.tif 000006
【図５】
2008082136.tif 000007
【図６】
2008082136.tif 000008
【手続補正書】
【提出日】平成18年11月14日(2006.11.14)
【手続補正１】
【補正対象書類名】明細書
【補正対象項目名】０００６
【補正方法】変更
【補正の内容】
【０００６】
すなわち、笠木は連結具に取付けることは出来る構造としているが、この連結具は前記図６に示す従来の取付け構造と同じくネジ止めされている。
【特許文献１】実開平５−６４３０９号に係る「間仕切りパネルの笠木取付装置」